(57)【要約】【課題】開閉操作性に優れ、耐久性能、光漏れ、見栄えの要求を満たすことができる航空機用化粧室ユニットの出入口開閉用扉体を構成する２枚の扉体の結合構造を提供すること。【解決手段】航空機用化粧室ユニット１０の出入口開閉用扉体１８を構成する２枚の扉体２０、２２の結合構造２４は、一対の扉体２０、２２にそれぞれ設けられた一対のブラケット２６がブラケット結合軸２８により揺動可能に結合され、また、一対のカバー３０の一端がブラケットカバー結合軸３４Ａ、３４Ｂにより一対のブラケット２６に結合されるとともに一対のカバー３０の他端がブラケット結合軸２８よりも化粧室１００２から離れた箇所でカバー結合軸３２により揺動可能に結合されている。【選択図】図６
2019183537.tif 000002
【特許請求の範囲】
【請求項１】
航空機用化粧室ユニットの化粧室の出入口を開閉する出入口開閉用扉体を有し、
前記出入口開閉用扉体は、互いに折曲可能に結合された第１扉体と第２扉体とを有し、それら２枚の扉体は展開された状態で前記出入口を閉塞し、化粧室側に凸状に折曲された状態で前記出入口を開放する航空機用化粧室ユニットの出入口開閉用扉を構成する２枚の扉体の結合構造であって、
前記第１扉体と前記第２扉体の互いに向かい合う端部からそれぞれ突設された一対のブラケットと、
前記一対のブラケットの先部を揺動可能に結合するブラケット結合軸と、
前記ブラケット結合軸の周囲の前記一対のブラケットの箇所にそれぞれそれらの一端がブラケットカバー結合軸を介して揺動可能に結合されると共に、それらの他端が前記ブラケット結合軸よりも前記化粧室から離れた箇所でカバー結合軸により揺動可能に結合された一対のカバーとを備え、
前記一対のカバーは、前記第１扉体と前記第２扉体とが展開された状態で前記化粧室の外部から前記ブラケット結合軸の周囲の前記一対のブラケットの箇所を上下方向の全長にわたって覆う、
ことを特徴とする航空機用化粧室ユニットの出入口開閉用扉を構成する２枚の扉体の結合構造。
【請求項２】
前記一対のブラケットは、前記第１扉体と前記第２扉体とが展開された状態で、それら扉体の向かい合う端部に取着される取り付け板部と、前記取り付け板部から起立する起立部と、前記起立部の先部から前記化粧室から離れる方向に延在する屈曲部とを有し、
前記屈曲部の先部に、前記ブラケット結合軸を支持する軸受部が設けられ、
前記軸受部よりも前記取り付け板部寄りの箇所で前記取り付け板部に対向する前記屈曲部の先部の箇所に、前記ブラケットカバー結合軸を支持する軸受部が設けられている、
ことを特徴とする請求項１記載の航空機用化粧室ユニットの出入口開閉用扉を構成する２枚の扉体の結合構造。
【請求項３】
前記一対のカバーは、前記第１扉体と前記第２扉体が折曲された状態で、前記一対のブラケットの前記取り付け板部と前記起立部と前記屈曲部との間の空間に収納される、
ことを特徴とする請求項２記載の航空機用化粧室ユニットの出入口開閉用扉を構成する２枚の扉体の結合構造。
【請求項４】
前記一対のブラケットの前記ブラケット結合軸を支持する軸受部は前記取り付け板部の上下方向に間隔をおいて複数設けられ、
前記一対のブラケットの前記軸受部は、上下方向において交互に並べられて配置され、
前記第１扉体と前記第２扉体とを展開状態に付勢する捩じりばねを備え、
前記捩じりばねは、コイル部と、コイル部の両端から突出する一対の棒状部とを備え、
前記捩じりばねは、前記コイル部が前記一対のブラケットの前記軸受部の間に配置されて前記コイル部の内部に前記ブラケット結合軸が挿通され、一対の棒状部のうちの一方の棒状部が前記一対のブラケットのうちの一方のブラケットに当て付けられ、他方の棒状部が前記一対のブラケットのうちの他方のブラケットに当て付けられて配置されている、
ことを特徴とする請求項２または３記載の航空機用化粧室ユニットの出入口開閉用扉を構成する２枚の扉体の結合構造。
【請求項５】
前記一対のカバーは、外周面が円弧状を呈し上下方向に延在する本体板部と、前記本体板部の内周面の円弧方向の一端に設けられ前記カバー結合軸を支持する軸受部と、前記本体板部の内周面の円弧方向の他端に設けられ前記ブラケットカバー結合軸を支持する軸受部とを備え、
前記カバー結合軸を支持する軸受部は、前記本体板部の延在方向に間隔をおいて複数設けられ、
前記カバー結合軸を支持する軸受部が設けられた箇所の前記本体板部の円弧方向の長さは、この軸受部が設けられていない箇所の本体板部の箇所に比べて大きく、
前記一対のカバーのうちの一方のカバーの前記カバー結合軸を支持する軸受部と、他方のカバーの前記カバー結合軸を支持する軸受部とが上下方向に交互に並べられ、
前記一対のカバーのうちの一方のカバーの前記カバー結合軸を支持する軸受部が設けられた前記本体板部の円弧方向の端部が、他方のカバーの前記カバー結合軸を支持する軸受部が設けられていない前記本体板部の円弧方向の端部に接し、
前記一対のカバーのうちの他方のカバーの前記カバー結合軸を支持する軸受部が設けられた前記本体板部の円弧方向の端部が、一方のカバーの前記カバー結合軸を支持する軸受部が設けられていない前記本体板部の円弧方向の端部に接し、
上下方向において向かい合う一方のカバーの前記カバー結合軸を支持する軸受部の端面と、他方のカバーの前記カバー結合軸を支持する軸受部の端面とは接し、
前記一対のカバーの本体板部の外周面は上下方向に連続した円筒面となる、
ことを特徴とする請求項２〜４の何れか１項記載の航空機用化粧室ユニットの出入口開閉用扉を構成する２枚の扉体の結合構造。
【発明の詳細な説明】
【技術分野】
【０００１】
本発明は、航空機用化粧室ユニットの出入口開閉用扉を構成する２枚の扉体の結合構造に関する。
【背景技術】
【０００２】
航空機用化粧室ユニットの出入口開閉用扉は、互いに折曲可能に結合された第１扉体と第２扉体を有し、それら２枚の扉体は展開された状態で出入口を閉塞し、化粧室側に凸状に折曲された状態で出入口を開放するように構成されている。
そして、出入口開閉用扉には、各航空会社からそれぞれ所定の耐久性能が要求され、また、化粧室使用時の光漏れがないことや見栄えがよいことなどが要求されている。
従来、化粧室使用時の光漏れを防止するため、互いに対向する２枚の扉の端部間にゴムなどの可撓性を有する材料からなるカバーを設けたものが提案されている。
【先行技術文献】
【特許文献】
【０００３】
【特許文献１】特開２０１３−２２４５２５
【発明の概要】
【発明が解決しようとする課題】
【０００４】
しかしながら、出入口を開閉する際に、カバーを撓ませて変形させることから、２枚の扉体を折曲させる際にカバーが抵抗となり、出入口開閉用扉の開閉操作性の点で改善の余地があり、また、見栄えの点でも改善の余地があった。
本発明は前記事情に鑑み案出されたものであって、本発明の目的は、開閉操作性に優れ、耐久性能、光漏れ、見栄えの要求を満たすことができる航空機用化粧室ユニットの出入口開閉用扉を構成する２枚の扉体の結合構造を提供することにある。
【課題を解決するための手段】
【０００５】
前記目的を達成するため本発明は、航空機用化粧室ユニットの化粧室の出入口を開閉する出入口開閉用扉体を有し、前記出入口開閉用扉体は、互いに折曲可能に結合された第１扉体と第２扉体とを有し、それら２枚の扉体は展開された状態で前記出入口を閉塞し、化粧室側に凸状に折曲された状態で前記出入口を開放する航空機用化粧室ユニットの出入口開閉用扉を構成する２枚の扉体の結合構造であって、前記第１扉体と前記第２扉体の互いに向かい合う端部からそれぞれ突設された一対のブラケットと、前記一対のブラケットの先部を揺動可能に結合するブラケット結合軸と、前記ブラケット結合軸の周囲の前記一対のブラケットの箇所にそれぞれそれらの一端がブラケットカバー結合軸を介して揺動可能に結合されると共に、それらの他端が前記ブラケット結合軸よりも前記化粧室から離れた箇所でカバー結合軸により揺動可能に結合された一対のカバーとを備え、前記一対のカバーは、前記第１扉体と前記第２扉体とが展開された状態で前記化粧室の外部から前記ブラケット結合軸の周囲の前記一対のブラケットの箇所を上下方向の全長にわたって覆うことを特徴とする。
また、本発明は、前記一対のブラケットは、前記第１扉体と前記第２扉体とが展開された状態で、それら扉体の向かい合う端部に取着される取り付け板部と、前記取り付け板部から起立する起立部と、前記起立部の先部から前記化粧室から離れる方向に延在する屈曲部とを有し、前記屈曲部の先部に、前記ブラケット結合軸を支持する軸受部が設けられ、前記軸受部よりも前記取り付け板部寄りの箇所で前記取り付け板部に対向する前記屈曲部の先部の箇所に、前記ブラケットカバー結合軸を支持する軸受部が設けられていることを特徴とする。
また、本発明は、前記一対のカバーは、前記第１扉体と前記第２扉体が折曲された状態で、前記一対のブラケットの前記取り付け板部と前記起立部と前記屈曲部との間の空間に収納されることを特徴とする。
また、本発明は、前記一対のブラケットの前記ブラケット結合軸を支持する軸受部は前記取り付け板部の上下方向に間隔をおいて複数設けられ、前記一対のブラケットの前記軸受部は、上下方向において交互に並べられて配置され、前記第１扉体と前記第２扉体とを展開状態に付勢する捩じりばねを備え、前記捩じりばねは、コイル部と、コイル部の両端から突出する一対の棒状部とを備え、前記捩じりばねは、前記コイル部が前記一対のブラケットの前記軸受部の間に配置されて前記コイル部の内部に前記ブラケット結合軸が挿通され、一対の棒状部のうちの一方の棒状部が前記一対のブラケットのうちの一方のブラケットに当て付けられ、他方の棒状部が前記一対のブラケットのうちの他方のブラケットに当て付けられて配置されていることを特徴とする。
また、本発明は、前記一対のカバーは、外周面が円弧状を呈し上下方向に延在する本体板部と、前記本体板部の内周面の円弧方向の一端に設けられ前記カバー結合軸を支持する軸受部と、前記本体板部の内周面の円弧方向の他端に設けられ前記ブラケットカバー結合軸を支持する軸受部とを備え、前記カバー結合軸を支持する軸受部は、前記本体板部の延在方向に間隔をおいて複数設けられ、前記カバー結合軸を支持する軸受部が設けられた箇所の前記本体板部の円弧方向の長さは、この軸受部が設けられていない箇所の本体板部の箇所に比べて大きく、前記一対のカバーのうちの一方のカバーの前記カバー結合軸を支持する軸受部と、他方のカバーの前記カバー結合軸を支持する軸受部とが上下方向に交互に並べられ、前記一対のカバーのうちの一方のカバーの前記カバー結合軸を支持する軸受部が設けられた前記本体板部の円弧方向の端部が、他方のカバーの前記カバー結合軸を支持する軸受部が設けられていない前記本体板部の円弧方向の端部に接し、前記一対のカバーのうちの他方のカバーの前記カバー結合軸を支持する軸受部が設けられた前記本体板部の円弧方向の端部が、一方のカバーの前記カバー結合軸を支持する軸受部が設けられていない前記本体板部の円弧方向の端部に接し、上下方向において向かい合う一方のカバーの前記カバー結合軸を支持する軸受部の端面と、他方のカバーの前記カバー結合軸を支持する軸受部の端面とは接し、前記一対のカバーの本体板部の外周面は上下方向に連続した円筒面となることを特徴とする。
【発明の効果】
【０００６】
本発明によれば、一対のブラケットの結合箇所、一対のカバーの結合箇所が全て枢着構造となっているので、２枚の扉体を抵抗を生じることなく円滑に折曲、展開でき、出入口開閉用扉の開閉操作性を向上し、また、出入口開閉用扉の耐久性能を向上する上で有利となる。
また、出入口開閉用扉で出入口を閉塞した状態で、化粧室の外部からは、一対のカバーによりブラケット結合軸の周囲の一対のブラケットの箇所が上下方向の全長にわたって覆われるので、使用時の化粧室の光漏れを効果的に防止する上で有利となり、また、見栄えの向上を図る上で有利となる。
また、出入口開閉用扉で出入口を閉塞した状態で、化粧室の内部からは、一対のブラケットの取り付け板部と起立部しか見えず、一対のブラケットがブラケット結合軸により結合された箇所の大半が一対のブラケットの起立部により隠されるので、化粧室の内部からの見栄えの向上を図る上で有利となる。
また、一対の扉体が折曲して出入口を開放した状態で、一対のカバーは、一対のブラケットの取り付け板部と起立部と屈曲部との間の空間に収納されるので、一対の扉体の折曲が円滑に行なわれる上で有利となる。
また、一対の扉体を展開状態に付勢する捩じりばねを、一対のカバーにより隠される箇所に配置でき、出入口開閉用扉の見栄えの向上を図る上で有利となる。
また、出入口開閉用扉で出入口を閉塞した状態で、一対のカバーの本体板部の外周面は上下方向に連続した円筒面となるので、出入口開閉用扉の見栄えの向上を図る上でより有利となる。
【図面の簡単な説明】
【０００７】
【図１】化粧室の出入口が閉塞された状態の航空機用化粧室ユニットの正面図である。
【図２】化粧室の出入口が開放された状態の航空機用化粧室ユニットの平面図である。
【図３】第１扉体と第２扉体が展開された状態の出入口開閉用扉の正面図である。
【図４】第１扉体と第２扉体の結合構造を構成する各構成部品を扉体から外し化粧室の外部から見た各構成部品の斜視図である。
【図５】第１扉体と第２扉体の結合構造を構成する各構成部品を扉体から外し化粧室の内部から見た各構成部品の斜視図である。
【図６】（Ａ）〜（Ｃ）は第１扉体と第２扉体の結合構造の展開状態と屈曲状態とを説明する平面図である。
【図７】カバーを取り除き展開された状態の第１扉体と第２扉体の結合構造の上部を化粧室の外部から見た正面図である。
【図８】図７のＡＡ断面図である。
【図９】図７のＢＢ断面図である。
【図１０】図７のＣＣ断面図である。
【図１１】図７のＤＤ断面図である。
【図１２】図７のＥＥ断面図である。
【図１３】図７のＦＦ断面図である。
【発明を実施するための形態】
【０００８】
以下、本発明の実施の形態について説明する。
図１、図２に示すように、航空機用化粧室ユニット１０の躯体１２は、床板１２０２と、床板１２０２から起立し互いに対向する正面壁１２０４および背面壁１２０６と、床板１２０２から起立しそれら正面壁１２０４と背面壁１２０６の両側を接続する一対の側面壁１２０８と、天井１２１０とを備え、便器１４が背面壁１２０６寄りの床板１２０２の箇所に設けられ、一対の側面壁１２０８のうちの一方の側面壁１２０８に洗面台１６が設けられ、躯体１２の内部が化粧室１００２となっている。
正面壁１２０４に、化粧室１００２の出入口１２１２が設けられている。
出入口１２１２を開閉する出入口開閉用扉体１８は、互いに折曲可能に結合された第１扉体２０と第２扉体２２との２枚の扉体で構成されている。
第１扉体２０と第２扉体２２は結合構造２４により屈曲可能に結合され、第１扉体２０と第２扉体２２が展開された状態で、すなわち平面視した場合に同一直線上に延在した状態で出入口１２１２を閉塞し、第１扉体２０と第２扉体２２が化粧室１００２側に凸状に折曲された状態で出入口１２１２を開放する。
【０００９】
図３に示すように、第２扉体２２と反対に位置する第１扉体２０の端部の上下端面に、上下に移動可能に軸２００２が設けられ、この軸２００２が、出入口１２１２に設けられた不図示の取り付け枠の孔に挿入され、第１扉体２０は軸２００２を中心に揺動可能に出入口１２１２に配置されている。
また、第１扉体２０と反対に位置する第２扉体２２の端部の上下端面にスライド部材２２０２が設けられ、このスライド部材２２０２が、出入口１２１２に設けられた不図示の取り付け枠のガイドレールに係合され、出入口１２１２の開閉時にスライド部材２２０２がガイドレールに沿って移動する。
なお、図３において符号２００４は、第１扉体２０を手で押すことを表示した表示部、符号２００６は、第１扉体２０と第２扉体２２とを折曲させた際の衝撃を緩和するゴム製の台座、符号２２０４は、化粧室１００２使用中を表示するランプを示している。
また、第１扉体２０と第２扉体２２が屈曲状態から展開状態に移行する際にその動きをゆっくりと行ない、出入口１２１２を閉塞する際の衝撃音を抑制する不図示のダンパーが設けられている。
【００１０】
図４、図５、図６に示すように、出入口開閉用扉体１８を構成する２枚の扉体２０、２２の結合構造２４は、一対のブラケット２６、ブラケット結合軸２８、一対のカバー３０、カバー結合軸３２、ブラケットカバー結合軸３４、捩じりばね３６とを含んで構成されている。
一対のブラケット２６は、第２扉体２２側の第１扉体２０の端部に取着される第１ブラケット２６Ａと、第１扉体２０側の第２扉体２２の端部に取着される第２ブラケット２６Ｂであり、第１ブラケット２６Ａと第２ブラケット２６Ｂは、ブラケット結合軸２８により揺動可能に結合されている。
一対のカバー３０は、第１カバー３０Ａと第２カバー３０Ｂであり、第１カバー３０Ａの一端はブラケットカバー結合軸３４Ａにより第１ブラケット２６Ａに揺動可能に結合され、第２カバー３０Ｂの一端はブラケットカバー結合軸３４Ｂにより第２ブラケット２６Ｂに揺動可能に結合されている。
そして、第１カバー３０Ａの他端と第２カバー３０Ｂの他端は、カバー結合軸３２により揺動可能に結合される。
第１ブラケット２６Ａ、第２ブラケット２６Ｂは、結合構造２４の耐久性や見栄えの要求を満たすため、アルミ合金などの強度、剛性を有する軽量な金属材料で形成され、第１カバー３０Ａ、第２カバー３０Ｂは、出入口開閉用扉体１８の荷重を受けないため、アルミ合金などの軽量な金属材料や合成樹脂で形成されている。
また、ブラケット結合軸２８、カバー結合軸３２、ブラケットカバー結合軸３４Ａ、３４Ｂは耐久性の観点からピアノ線などの鋼製のロッド材で形成されている。
【００１１】
図４、図５に示すように、第１ブラケット２６Ａは、第１扉体２０の端部に取着される取り付け板部３８と、取り付け板部３８から突設されたヒンジ部４０とを有している。
取り付け板部３８は、第１扉体２０の端部の端面に当接される基部３８０２と、基部３８０２の両側から起立し第１扉体２０の側面に合される一対のフランジ３８０４とを有し、それら基部３８０２と一対のフランジ３８０４は、第１扉体２０の端部の上下方向の全長にわたる長さを有している。
取り付け板部３８の上下方向に間隔をおいた複数箇所に取り付け孔３８０６が形成され、図６（Ａ）に示すように、取り付け孔３８０６に挿通されたねじＮ１が、第１扉体２０の端部に埋め込まれた雌ねじ部材２０１０に螺合することで第１ブラケット２６Ａが第１扉体２０の端部に取着されている。なお、第１ブラケット２６Ａの第１扉体２０への取り付けにはねじＮ１に代えて接着剤を用いるなど任意である。
【００１２】
ヒンジ部４０は、取り付け板部３８からほぼ直角に起立する起立部４００２と、図６（Ａ）に示すように出入口１２１２が閉塞された状態で起立部４００２の先部から化粧室１００２から離れる方向に延在する屈曲部４００４とを有し、起立部４００２と屈曲部４００４は、第１扉体２０の端部の上下方向の全長にわたる長さを有している。
屈曲部４００４の先部に、ブラケット結合軸２８を支持する第１軸受部４２が設けられ、また、屈曲部４００４の基部３８０２側の箇所にブラケットカバー結合軸３４Ａを支持する第２軸受部４４が設けられている。
図４、図５に示すように、第１軸受部４２は、ブラケット結合軸２８を支持する軸受孔４２０２と、軸受孔４２０２へのブラケット結合軸２８の装脱を可能とした欠部４２０４を含んで構成されている。
第１軸受部４２は、第１ブラケット２６Ａの延在方向に間隔をおいて複数設けられ、第１軸受部４２の間は、第１軸受部４２が設けられていない欠部４３となっており、最も上位の第１軸受部４２の上方箇所も第１軸受部４２が設けられていない欠部４３となっている。
第２軸受部４４は、ブラケットカバー結合軸３４Ａを支持する軸受孔４４０２と、軸受孔４４０２へのブラケットカバー結合軸３４Ａの装脱を可能とした欠部４４０４を含んで構成されている。
また、図４、図１１に示すように、第１軸受部４２が設けられた第２軸受部４４の箇所毎に、第２軸受部４４が取り付け板部３８に対向する箇所に後述する第１カバー３０Ａの第６軸受部７４を挿入する欠部４６が取り付け板部３８側に開放状に形成されている。
【００１３】
第２ブラケット２６Ｂは、第２扉体２２の端部に取着される取り付け板部４８と、取り付け板部４８から突設されたヒンジ部５０とを有している。
取り付け板部４８は、第２扉体２２の端部の端面に当接される基部４８０２と、基部４８０２の両側から起立し第２扉体２２の側面に合される一対のフランジ４８０４とを有し、それら基部４８０２と一対のフランジ４８０４は、第２扉体２２の端部の上下方向の全長にわたる長さを有している。
取り付け板部４８の上下方向に間隔をおいた複数箇所に取り付け孔４８０６が形成され、図６（Ａ）に示すように、取り付け孔４８０６に挿通されたねじＮ２が、第２扉体２２の端部に埋め込まれた雌ねじ部材２２１０に螺合することで第２ブラケット２６Ｂが第２扉体２２の端部に取着されている。なお、第２ブラケット２６Ｂの第２扉体２２への取り付けにはねじＮ２に代えて接着剤を用いるなど任意である。
【００１４】
ヒンジ部５０は、取り付け板部４８からほぼ直角に起立する起立部５００２と、出入口１２１２が閉塞された状態で起立部５００２の先部から化粧室１００２から離れる方向に延在する屈曲部５００４とを有し、起立部５００２と屈曲部５００４は、第１扉体２０の端部の上下方向の全長にわたる長さを有している。
屈曲部５００４の先部に、ブラケット結合軸２８を支持する第３軸受部５４が設けられ、また、屈曲部５００４の基部４８０２側の箇所にブラケットカバー結合軸３４を支持する第４軸受部５６が設けられている。
第３軸受部５４は、ブラケット結合軸２８を支持する軸受孔５４０２と、軸受孔５４０２へのブラケット結合軸２８の装脱を可能とした欠部５４０４を含んで構成されている。
第３軸受部５４は、第２ブラケット２６Ｂの延在方向に間隔をおいて複数設けられ、第３軸受部５４の間は、第３軸受部５４が設けられていない欠部５２となっている。
第４軸受部５６は、ブラケットカバー結合軸３４Ｂを支持する軸受孔５６０２と、軸受孔５６０２へのブラケットカバー結合軸３４Ｂの装脱を可能とした欠部５６０４を含んで構成されている。
また、図４、図９に示すように、第３軸受部５４が設けられた第４軸受部５６の箇所毎に、第４軸受部５６が取り付け板部４８に対向する箇所に後述する第２カバー３０Ｂの第８軸受部８２を挿入する欠部５８が取り付け板部４８側に開放状に形成されている。
【００１５】
図４、図５に示すように、第２ブラケット２６Ｂの最も上位に位置する第３軸受部５４は、第２ブラケット２６Ｂの上端に位置し、この第３軸受部５４の下端面５４１０に、第１ブラケット２６Ａの最も上位に位置する第１軸受部４２の上端面４２１０が合され、このように第３軸受部５４と第１軸受部４２とが交互に上下方向に並べられ、それら第３軸受部５４、第１軸受部４２の欠部５４０４、４２０４から軸受孔５６０２に挿通させたブラケット結合軸２８により第１ブラケット２６Ａと第２ブラケット２６Ｂとが揺動可能に結合される。
なお、ブラケット結合軸２８は、第３軸受部５４、第１軸受部４２の一方の軸受孔５４０２または４２０２に上下方向に移動不能にかつ回転不能に結合し、第３軸受部５４、第１軸受部４２の他方の軸受孔５６０２または４２０２に回転可能に結合してもよく、あるいは、ブラケット結合軸２８の上端に設けた軸受孔５４０２、４２０２よりも大きい大径部を、最も上位に位置する第３軸受部５４の上端面に係止させ、ブラケット結合軸２８を第３軸受部５４、第１軸受部４２の双方の軸受孔５６０２に回転可能に結合するようにしてもよく、１本の支軸に対して２つの部材の軸受孔を結合する従来公知の様々な構成が採用可能である。
また、捩じりばね３６が配置される箇所を除いて、上下方向において互いに対向する第３軸受部５４の端面と、第１軸受部４２の端面とは接している。
【００１６】
このように第２ブラケット２６Ｂの第３軸受部５４と第１ブラケット２６Ａの第１軸受部４２とが上下に並べられるが、図７に示すように、それら軸受部５４、４２が並べられた複数箇所において、第１軸受部４２の下端面と第３軸受部５４の上端面との間に欠部４３、５２を介して上下方向に延在する空間部６０が確保され、この空間部６０にそれぞれ捩じりばね３６が配置される。
捩じりばね３６は、第１扉体２０と第２扉体２２とを展開状態に付勢するものである。
図４、図５に示すように、捩じりばね３６は、コイル部３６０２と、コイル部３６０２の両端から突出する棒状部３６０４とを有している。
図４、図５、図７、図１２、図１３に示すように、捩じりばね３６は、第１軸受部４２の下端面と第３軸受部５４の上端面との間にコイル部３６０２が配置され、コイル部３６０２の内部にブラケット結合軸２８が挿通される。
また、一方の棒状部３６０４は、押さえ片６２の先部６２０４により第１ブラケット２６Ａの凹部６４に当て付けられ、押さえ片６２は、その基部６２０２がねじＮ３により起立部４００２に取着される。凹部６４は、上下の第１軸受部４２の間の屈曲部５００４の箇所と、第２軸受部４４の背面の箇所とにわたって形成され、凹部６４の底面の中央には、棒状部３６０４を押さえ易いように棒状部３６０４に係止可能な凹溝６４０２が形成されている。
また、他方の棒状部３６０４は、押さえ片６２の先部６２０４により第２ブラケット２６Ｂの凹部６６に当て付けられ、押さえ片６２は、その基部６２０２がねじＮ４により起立部５００２に取着される。凹部６６は、上下の第３軸受部５４の間の屈曲部５００４の箇所と、第４軸受部５６の背面の箇所とにわたって形成され、凹部６６の底面の中央には、棒状部３６０４を押さえ易いように棒状部３６０４に係止可能な凹溝６６０２が形成されている。
【００１７】
図５に示すように、第１カバー３０Ａは、外周面６８０２が円弧状の本体板部６８と、本体板部６８の内周面６８０４の円弧方向の一端に設けられカバー結合軸３２を支持する第５軸受部７０と、本体板部６８の内周面６８０４の円弧方向の他端から突出する脚部７２と、脚部７２の先端に設けられブラケットカバー結合軸３４Ａを支持する第６軸受部７４とを備えている。
本体板部６８は、第１、第２扉体２０、２２の端部の上下方向の全長にわたる長さを有し、本体板部６８の外周面６８０２は円筒面で形成されている。
第５軸受部７０は、カバー結合軸３２を支持する軸受孔７００２と、軸受孔７００２へのカバー結合軸３２の装脱を可能とした欠部７００４を含んで構成され、本体板部６８の延在方向に間隔をおいて複数設けられ、第５軸受部７０が設けられた箇所の本体板部６８の円弧方向の長さは、第５軸受部７０が設けられていない箇所の本体板部６８に比べて大きい。
なお、図８に示すように、カバー結合軸３２は、第１扉体２０と第２扉体２２とが展開された状態で、ブラケット結合軸２８よりも化粧室１００２から離れた箇所に配置されている。
第６軸受部７４は、ブラケットカバー結合軸３４Ａを支持する軸受孔７４０２と、軸受孔７４０２へのブラケットカバー結合軸３４Ａの装脱を可能とした欠部７４０４を含んで構成され、第６軸受部７４は、第１ブラケット２６Ａの欠部４６に挿入可能な大きさで本体板部６８の延在方向に間隔をおいて複数設けられている。
【００１８】
図５に示すように、第２カバー３０Ｂは、外周面７６０２が円弧状の本体板部７６と、本体板部７６の内周面７６０４の円弧方向の一端に設けられカバー結合軸３２を支持する第７軸受部７８と、本体板部７６の内周面７６０４の円弧方向の他端から突出する脚部８０と、脚部８０の先端に設けられブラケットカバー結合軸３４Ｂを支持する第８軸受部８２とを備えている。
本体板部７６は、第１、第２扉体２０、２２の端部の上下方向の全長にわたる長さを有し、本体板部７６の外周面７６０２は、第１カバー３０Ａの外周面６８０２と同一径の円筒面で形成されている。
第７軸受部７８は、カバー結合軸３２を支持する軸受孔７８０２と、軸受孔７８０２へのカバー結合軸３２の装脱を可能とした欠部７８０４を含んで構成され、第７軸受部７８は、本体板部７６の延在方向に間隔をおいて複数設けられ、第７軸受部７８が設けられた箇所の本体板部７６の円弧方向の長さは、第７軸受部７８が設けられていない箇所の本体板部７６に比べて大きい。
第８軸受部８２は、ブラケットカバー結合軸３４Ｂを支持する軸受孔８２０２と、軸受孔８２０２へのブラケットカバー結合軸３４Ｂの装脱を可能とした欠部８２０４を含んで構成され、第８軸受部８２は、第２ブラケット２６Ｂの欠部５８に挿入可能な大きさで本体板部７６の延在方向に間隔をおいて複数設けられている。
【００１９】
図４、図５に示すように、第２カバー３０Ｂの最も上位に位置する第７軸受部７８は、第２カバー３０Ｂの上端に位置し、この第７軸受部７８の下端面７８１０に、第１カバー３０Ａの最も上位に位置する第５軸受部７０の上端面７０１０が合され、このように第７軸受部７８と第５軸受部７０とが交互に上下方向に並べられ、それら第７軸受部７８、第５軸受部７０の欠部７８０４、７００４から軸受孔７８０２、７００２に挿通させたカバー結合軸３２により第１カバー３０Ａと第２カバー３０Ｂとが揺動可能に結合される。
なお、カバー結合軸３２は、第７軸受部７８、第５軸受部７０の一方の軸受孔７８０２または７００２に上下方向に移動不能にかつ回転不能に結合し、第７軸受部７８、第５軸受部７０の他方の軸受孔７８０２または７００２に回転可能に結合してもよく、あるいは、カバー結合軸３２の上端に設けた軸受孔７８０２、７００２よりも大きい大径部を、最も上位に位置する第７軸受部７８の上端面に係止させ、カバー結合軸３２を第７軸受部７８、第５軸受部７０の双方の軸受孔７８０２、７００２に回転可能に結合するようにしてもよく、１本の支軸に対して２つの部材の軸受孔を結合する従来公知の様々な構成が採用可能である。
【００２０】
図４、図５、図１１に示すように、第１カバー３０Ａの第６軸受部７４は、第１ブラケット２６Ａの欠部４６に挿入され、第６軸受部７４の軸受孔７４０２と、第１ブラケット２６Ａの第２軸受部４４の軸受孔４４０２とに挿通させたブラケットカバー結合軸３４Ａにより第１カバー３０Ａの第６軸受部７４と第１ブラケット２６Ａの第２軸受部４４とが揺動可能に結合されている。
また、図４、図５、図９に示すように、第２カバー３０Ｂの第８軸受部８２は、第２ブラケット２６Ｂの欠部５８に挿入され、第８軸受部８２の軸受孔８２０２と、第２ブラケット２６Ｂの第４軸受部５６の軸受孔５６０２とに挿通させたブラケットカバー結合軸３４Ｂにより第２カバー３０Ｂの第８軸受部８２と第２ブラケット２６Ｂの第４軸受部５６とが揺動可能に結合されている。
なお、第１カバー３０Ａの第６軸受部７４と第１ブラケット２６Ａの第２軸受部４４に対するブラケットカバー結合軸３４Ａの結合と、第２カバー３０Ｂの第８軸受部８２と第２ブラケット２６Ｂの第４軸受部５６に対するブラケットカバー結合軸３４Ｂの結合にも、上記と同様に、１本の支軸に対して２つの部材の軸受孔を結合する従来公知の様々な構成が採用可能である。
【００２１】
このように一対のカバー３０が一対のブラケット２６に結合され、第１扉体２０と第２扉体２２とが展開して出入口１２１２を閉塞した状態で、図３、図６（Ａ）に示すように、一対のカバー３０により、ブラケット結合軸２８の周囲の一対のブラケット２６の箇所、すなわち、一対のブラケット２６の屈曲部４００４、５００４が、一対のカバー３０の本体板部６８、７６により上下方向の全長にわたって隠される。
なお、図３に示すように、第２カバー３０Ｂの最も上位の第７軸受部７８が位置する本体板部７６の上下長さは短く、その下に配置される第１カバー３０Ａの第５軸受部７０が位置する本体板部６８と、その下に配置される第２カバー３０Ｂの第７軸受部７８が位置する本体板部７６の上下長さは大きく、最も下位となる第１カバー３０Ａの第５軸受部７０が位置する本体板部６８の上下長さも短い。
また、図９に示すように、第２カバー３０Ｂの第７軸受部７８が位置する本体板部７６の外周面７６０２の円弧方向の端部７６０２Ａは、第１カバー３０Ａの第５軸受部７０が設けられていない本体板部６８の円弧方向の端部６８Ａにほぼ接し、同様に、図１０に示すように、第１カバー３０Ａの第５軸受部７０が位置する本体板部６８の外周面６８０２の円弧方向の端部６８０２Ａは、第２カバー３０Ｂの第７軸受部７８が設けられていない本体板部７６の円弧方向の端部７６Ａにほぼ接しており、また、上下方向において向かい合う第２カバー３０Ｂの第７軸受部７８の端面と第１カバー３０Ａの第５軸受部７０の端面はほぼ接している。
したがって、第１扉体２０と第２扉体２２とが展開して出入口１２１２を閉塞した状態で、第１カバー３０Ａの本体板部６８の外周面６８０２と、第２カバー３０Ｂの本体板部７６の外周面７６０２とにより、化粧室１００２の外方に凸状で隙間なく上下方向において連続した円筒面が形成され、見栄えの向上を図る上でより有利となっている。
【００２２】
また、第１扉体２０と第２扉体２２とが折曲して出入口１２１２を開放した状態で、図６（Ｃ）に示すように、一対のカバー３０は、一対のブラケット２６の取り付け板部３８、４８と起立部４００２、５００２と屈曲部４００４、５００４との間の空間Ｓに収納され、第１扉体２０と第２扉体２２の折曲が円滑に行なわれるように図られている。
【００２３】
本実施の形態の航空機用化粧室ユニット１０の出入口開閉用扉体１８を構成する２枚の扉体の結合構造２４によれば、一対の扉体２０、２２にそれぞれ設けられた一対のブラケット２６がブラケット結合軸２８により揺動可能に結合され、また、一対のカバー３０の一端がカバー結合軸３２に揺動可能に結合されるとともにそれらカバー３０の他端が一対のブラケット２６にそれぞれブラケットカバー結合軸３４Ａ、３４Ｂにより揺動可能に結合されている。すなわち、結合箇所が全て枢着構造となっているので、従来のように２枚の扉の端部間にゴムなどの可撓性を有する材料からなるカバーを介在させ変形させる場合に比べ、２枚の扉体を抵抗を生じることなく円滑に折曲、展開でき、出入口開閉用扉体１８の開閉操作性を向上し、また、出入口開閉用扉体１８の耐久性能を向上する上で有利となる。
また、出入口開閉用扉体１８で出入口１２１２を閉塞した状態で、化粧室１００２の外部からは、一対のカバー３０によりブラケット結合軸２８の周囲の一対のブラケット２６の箇所が上下方向の全長にわたって覆われるので、使用時の化粧室１００２の光漏れを効果的に防止する上で有利となり、また、見栄えの向上を図る上で有利となる。
また、一対の扉体２０、２２が展開された状態で、ブラケット２６は、それら扉体２０、２２の向かい合う端部に取着される取り付け板部３８、４８と、取り付け板部３８、４８から起立する起立部４００２、５００２と、起立部４００２、５００２の先部から化粧室１００２から離れる方向に延在する屈曲部４００４、５００４とを有し、この屈曲部４００４、５００４の先部に第１〜第４軸受部４２、４４、５４、５６を設けたので、出入口開閉用扉体１８で出入口１２１２を閉塞した状態で、化粧室１００２の内部からは、一対のブラケット２６の取り付け板部３８、４８と起立部４００２、５００２しか見えず、第１〜第４軸受部４２、４４、５４、５６の大半が一対のブラケット２６の起立部４００２、５００２により隠されるので、化粧室１００２の内部からの見栄えの向上を図る上で有利となる。
【符号の説明】
【００２４】
１０  航空機用化粧室ユニット
１００２  化粧室
１２１２  出入口
１８  出入口開閉用扉体
２０  第１扉体
２２  第２扉体
２４  結合構造
２６  一対のブラケット
２６Ａ  第１ブラケット
２６Ｂ  第２ブラケット
２８  ブラケット結合軸
３０  一対のカバー
３０Ａ  第１カバー
３０Ｂ  第２カバー
３２  カバー結合軸
３４Ａ、３４Ｂ  ブラケットカバー結合軸
３６  捩じりばね
３６０２  コイル部
３６０４  棒状部
３８  取り付け板部
４００２  起立部
４００４  屈曲部
４２  第１軸受部
４４  第２軸受部
５００２  起立部
５００４  屈曲部
５４  第３軸受部
５６  第４軸受部
６８  本体板部
７０  第５軸受部
７４  第６軸受部
７６  本体板部
７８  第７軸受部
８２  第８軸受部
Ｓ  空間
【図１】
2019183537.tif 000003
【図２】
2019183537.tif 000004
【図３】
2019183537.tif 000005
【図４】
2019183537.tif 000006
【図５】
2019183537.tif 000007
【図６】
2019183537.tif 000008
【図７】
2019183537.tif 000009
【図８】
2019183537.tif 000010
【図９】
2019183537.tif 000011
【図１０】
2019183537.tif 000012
【図１１】
2019183537.tif 000013
【図１２】
2019183537.tif 000014
【図１３】
2019183537.tif 000015